(57)【要約】【課題】無線ＬＡＮ基地局からの要求に対する無線ＬＡＮ端末のレスポンスが遅くなるのを抑え、かつ低消費電力化を図ることのできる無線ＬＡＮ端末、無線ＬＡＮ基地局、及び無線ＬＡＮ通信システムを提供することを目的とする。【解決手段】本発明に係る無線監視カメラシステム７００は、監視モニター装置１０２、監視モニター装置１０２と無線ネットワークで接続されている無線監視カメラ１０１を備える。監視モニター装置１０２は、無線監視カメラ１０１との通信を要求する外部からの入力操作を受け付ける操作入力部２０３、入力操作が操作入力部２０３で行われる可能性がある状態かどうかを判定する操作可能性判定部２０２を備え、監視モニター装置１０２は、監視モニター装置１０２から無線送信された、操作可能性判定部２０２の判定結果に従い、Ｂｅａｃｏｎフレームを間欠受信する間隔を決定するＬｉｓｔｅｎ  Ｉｎｔｅｒｖａｌ決定部３０３を備える。【選択図】  図１
2009141547.tif 000002
【特許請求の範囲】
【請求項１】
無線ネットワークで接続されている無線ＬＡＮ端末との通信を要求する外部からの入力操作を受け付ける操作入力手段と、
前記入力操作が前記操作入力手段で行われる可能性がある状態かどうかを判定する通信要求可能性判定手段と、
前記無線ＬＡＮ端末宛のデータフレームを無線ＬＡＮ基地局でバッファリングしている事を示すデータを含んだＢｅａｃｏｎフレームを一定間隔で送信するとともに、前記通信要求可能性判定手段により判定された通信要求可能性判定結果を前記無線ＬＡＮ端末に送信する無線通信手段と
を備える無線ＬＡＮ基地局。
【請求項２】
無線ＬＡＮ基地局の周囲の照度を測定する照度センサーをさらに備え、
前記通信要求可能性判定手段は、前記照度センサーから通知された無線ＬＡＮ基地局の周囲の照度とあらかじめ定められた照度基準とを比較し、前記入力操作が前記操作入力手段で行われる可能性を判定することを特徴とする
請求項１に記載の無線ＬＡＮ基地局。
【請求項３】
無線ＬＡＮ基地局が設置された家屋の玄関に設置されている錠から錠ロック状態を受信する玄関錠通信手段をさらに備え、
前記通信要求可能性判定手段は、
前記玄関錠通信手段で受信した錠ロック状態が、家屋内が留守であることを示す第１の状態の場合には、前記入力操作が前記操作入力手段で行われる可能性がないと判定し、
前記玄関錠通信手段で受信した錠ロック状態が、家屋内に在宅であることを示す第２の状態の場合には、前記入力操作が前記操作入力手段で行われる可能性があると判定することを特徴とする
請求項１に記載の無線ＬＡＮ基地局。
【請求項４】
無線ＬＡＮ基地局から無線送信された、無線ＬＡＮ端末との通信を要求する入力操作が前記無線ＬＡＮ基地局で行われる可能性がある状態かどうかを判定した通信要求可能性判定結果に従い、Ｂｅａｃｏｎフレームを間欠受信する間隔を決定するＢｅａｃｏｎフレーム受信間隔決定手段と、
前記Ｂｅａｃｏｎフレーム受信間隔決定手段により決定されたＢｅａｃｏｎフレーム受信間隔で前記無線ＬＡＮ基地局から無線送信されるＢｅａｃｏｎフレームを間欠受信し、受信したＢｅａｃｏｎフレームにより自端末宛のデータフレームが前記無線ＬＡＮ基地局にバッファリングされていることを示していると認識した場合に、前記無線ＬＡＮ基地局に対して自端末宛のデータフレームの配送を要求するデータフレームを送信するとともに、前記無線ＬＡＮ基地局から送信される前記通信要求可能性判定結果を受信する無線通信手段と
を備える無線ＬＡＮ端末。
【請求項５】
請求項１から請求項３のいずれかに記載の無線ＬＡＮ基地局と、
請求項４に記載の無線ＬＡＮ端末と
を備える無線ＬＡＮ通信システム。
【発明の詳細な説明】
【技術分野】
【０００１】
本発明は、無線ＬＡＮ基地局、無線ＬＡＮ端末、及び無線ＬＡＮ通信システムに関する。
【背景技術】
【０００２】
無線ＬＡＮ通信における仕様として代表的なものにＩＥＥＥ８０２．１１規格がある。このＩＥＥＥ８０２．１１規格にはパワーセーブモードと呼ばれる低消費電力のための動作モードがあり、無線ＬＡＮ端末および無線ＬＡＮ基地局を備える無線ＬＡＮ通信システムにおいて、無線ＬＡＮ端末は、無線ＬＡＮ基地局への通知により、パワーセーブモードへ移行できる。
【０００３】
パワーセーブモード中には、Ｄｏｚｅステート(休止状態)とＡｗａｋｅステート(受信可能状態)との２つのモードが存在する。Ｄｏｚｅステートにある無線ＬＡＮ端末は、無線通信を完全に停止しており、消費電力を低下させることが出来る。一方、Ａｗａｋｅステートにある無線ＬＡＮ端末は、無線通信が可能であるが、消費電力は通常状態と変わらない。
【０００４】
無線ＬＡＮ端末は、無線ＬＡＮ基地局が定期的に送信しているＢｅａｃｏｎフレームの送出間隔の整数倍の期間、Ｄｏｚｅステートに移行して無線通信を停止できる。
【０００５】
無線ＬＡＮ端末がＤｏｚｅステートである期間に、無線ＬＡＮ基地局に対して該無線ＬＡＮ端末宛のユニキャストフレームが到着した場合には、無線ＬＡＮ基地局は該フレームをバッファリングして保持する。この後、無線ＬＡＮ基地局は、Ｂｅａｃｏｎフレーム内にあるＴＩＭ（Traffic Indication Map）フィールドにおける、該無線ＬＡＮ端末に割り当てられているＡＩＤ（Association IDentifier）に対応するフィールドをセットしたＢｅａｃｏｎフレームを送信する。
【０００６】
Ｄｏｚｅステートの期間を終了した無線ＬＡＮ端末は、Ａｗａｋｅステートへ移行して受信を再開する。無線ＬＡＮ基地局から送信されるＢｅａｃｏｎフレームを受信した無線ＬＡＮ端末は、Ｂｅａｃｏｎフレーム中にあるＴＩＭフィールド内の該無線ＬＡＮ端末のＡＩＤに対応するフィールドを参照することで、該無線ＬＡＮ端末宛のフレームが無線ＬＡＮ基地局にバッファリングされていることを認識する。この後、無線ＬＡＮ端末は無線ＬＡＮ基地局にＰＳ−Ｐｏｌｌフレームと呼ばれるフレームを送信することで、無線ＬＡＮ基地局にバッファリングされている該無線ＬＡＮ端末宛のフレームの送信を要求する。無線ＬＡＮ端末は、Ｂｅａｃｏｎフレームを参照して、該無線ＬＡＮ端末宛のフレームが到着していないことを確認した場合は、再びＤｏｚｅステートへ移行する。
【０００７】
無線ＬＡＮ端末は、無線ＬＡＮ基地局が定期的に送信している全てのＢｅａｃｏｎフレームを受信しなくてもよく、間欠的にＢｅａｃｏｎフレームを受信するように設定することができ、無線ＬＡＮ端末の消費電力を抑えることが出来る。無線ＬＡＮ端末は、Ｌｉｓｔｅｎ  Ｉｎｔｅｒｖａｌと呼ばれるパラメータに従って、定期的にＢｅａｃｏｎフレームを受信するためＡｗａｋｅステートとなる。Ｌｉｓｔｅｎ  Ｉｎｔｅｒｖａｌは、Ｂｅａｃｏｎフレームを受信する周期を示し、例えば、５となっていれば、Ｂｅａｃｏｎフレームを５個間隔で受信する。その間の４個のＢｅａｃｏｎフレームが送信されている期間は、Ｄｏｚｅステートで休止しており、消費電力を抑えることができる。
【０００８】
一方、ブロードキャストやマルチキャストフレームに対して、ＴＩＭに基づく各無線ＬＡＮ端末からの送信要求を個別に受け付けると、該ブロードキャストやマルチキャストフレームを何回も送信しなければならないことになり効率が悪い。そのため、ブロードキャストやマルチキャストフレームが、無線ＬＡＮ基地局にバッファリングされている事を通知する情報は、複数回おきのＢｅａｃｏｎフレームによって通知される。
【０００９】
無線ＬＡＮ基地局にブロードキャストやマルチキャストフレームが到着した場合は、無線ＬＡＮ基地局は、到着したブロードキャストやマルチキャストフレームをすぐには送信せずに一旦バッファリングする。無線ＬＡＮ基地局は、Ｂｅａｃｏｎフレーム中のＴＩＭフィールド内の、ＡＩＤ＝０に対応するフィールドをセットする。このブロードキャストやマルチキャストフレームが無線ＬＡＮ基地局にバッファリングされていることをしめすＴＩＭをＤＴＩＭ（Delivery Traffic Indication Message）と呼び、ＤＴＩＭが含まれるＢｅａｃｏｎフレームの送信間隔をＤＴＩＭ間隔と呼ぶ。ＤＴＩＭ間隔が、例えば、１０であれば、無線ＬＡＮ基地局から送信されるＢｅａｃｏｎフレームの１０回おきに、ＤＴＩＭが含まれるＢｅａｃｏｎフレームが送信されることになる。
【００１０】
無線ＬＡＮ基地局は、ブロードキャストやマルチキャストフレームが無線ＬＡＮ基地局にバッファリングされていることをしめすＤＴＩＭが含まれるＢｅａｃｏｎフレームを送信した直後に、該バッファリングしているブロードキャストやマルチキャストフレームを送信する。従って、パワーセーブモードの無線ＬＡＮ端末は、ＤＴＩＭが含まれるＢｅａｃｏｎフレームを受信しないとブロードキャストやマルチキャストフレームを受信できないため、ＤＴＩＭ間隔を考慮して、Ｌｉｓｔｅｎ  Ｉｎｔｅｒｖａｌを設定する必要がある。
【００１１】
以上から理解されるように、パワーセーブモードの無線ＬＡＮ端末は、Ｌｉｓｔｅｎ  Ｉｎｔｅｒｖａｌで設定した値に従って、間欠的にＢｅａｃｏｎフレームを受信するために、ＤｏｚｅステートからＡｗａｋｅステートに移行する。受信したＢｅａｃｏｎフレームのＴＩＭフィールドを参照し、受信すべきフレームがない場合には、Ｄｏｚｅステートへ移行して受信部を停止させることで、低消費電力化を図ることが可能となっている。
【００１２】
例えば、玄関子機とモニター親機等で構成される無線ドアホンシステムに、無線ＬＡＮのパワーセーブモードを使用する場合、玄関子機とモニター親機間は、無線ＬＡＮで接続されており、玄関子機は無線ＬＡＮ端末であり、モニター親機が無線ＬＡＮ基地局に相当する。
【００１３】
無線ドアホンシステムでは、訪問客が玄関子機を操作して、家屋内の家人を呼び出す場合と、家屋内の家人が玄関子機の周辺状況を確認するために、モニター親機を操作して玄関子機の撮影した映像を確認する場合等の限られた時間以外には、無線ＬＡＮ上のトラフィックはほとんど無いため、玄関子機をパワーセーブモードで動作させることを想定する。これにより、玄関子機の消費電力を抑えられ、玄関子機がバッテリー駆動の場合は、稼働時間を長くすることが期待される。玄関子機の消費電力を抑えるためには、Ｌｉｓｔｅｎ  Ｉｎｔｅｒｖａｌを長くして、消費電力の低いＤｏｚｅステートの時間を長くすることが考えられる。
【００１４】
また、無線ＬＡＮ通信システムにおけるさらなる低消費電力化について、特許文献１には、無線基地局が所定の無線端末宛のデータフレームを受信した場合、該無線端末宛のデータフレームが存在する旨を無線端末に通知するか否かを、予め与えられた通知判断基準に基づいて判断する方法が示されている。
【００１５】
【特許文献１】特開２００６−６７２４４号公報
【発明の開示】
【発明が解決しようとする課題】
【００１６】
しかしながら、上述の無線ドアホンシステムについて玄関子機のＬｉｓｔｅｎ  Ｉｎｔｅｒｖａｌを長くすると、モニター親機からの要求に対するレスポンスが遅くなるという問題が発生する。具体的には、家屋内の家人が玄関子機の周辺状況を確認するために、モニター親機を操作して玄関子機の撮影した映像を確認する場合、家人がモニター親機を操作してから、玄関子機がその要求を認識するまでの時間が長くなってしまい、結果的にモニター親機に映像が表示開始されるまでのレスポンス時間が長くなってしまうという問題が発生する。従って、玄関子機が設定しうるＬｉｓｔｅｎ  Ｉｎｔｅｒｖａｌ値は、前述のレスポンス時間として許容しうる時間によって制限されてしまうことになり、玄関子機の消費電力の低減も制限されてしまうことになる。また、無線ドアホンシステムでは、モニター親機に玄関子機宛のデータフレームが存在する旨は即時玄関子機に通知するべきであり、特許文献１に記載されている方法による低消費電力化は期待できない。
【００１７】
本発明は、上記問題点を鑑みてなされたものであり、無線ＬＡＮ基地局からの要求に対する無線ＬＡＮ端末のレスポンスが遅くなるのを抑え、かつ低消費電力化を図ることのできる無線ＬＡＮ端末、無線ＬＡＮ基地局、及び無線ＬＡＮ通信システムを提供することを目的とする。
【課題を解決するための手段】
【００１８】
本発明に係る無線ＬＡＮ基地局は、無線ネットワークで接続されている無線ＬＡＮ端末との通信を要求する外部からの入力操作を受け付ける操作入力手段、入力操作が操作入力手段で行われる可能性がある状態かどうかを判定する通信要求可能性判定手段、無線ＬＡＮ端末宛のデータフレームを無線ＬＡＮ基地局でバッファリングしている事を示すデータを含んだＢｅａｃｏｎフレームを一定間隔で送信するとともに、通信要求可能性判定手段により判定された通信要求可能性判定結果を無線ＬＡＮ端末に送信する無線通信手段を備えて構成される。
【００１９】
本発明に係る無線ＬＡＮ端末は、無線ＬＡＮ基地局から無線送信された、無線ＬＡＮ端末との通信を要求する入力操作が無線ＬＡＮ基地局で行われる可能性がある状態かどうかを判定した通信要求可能性判定結果に従い、Ｂｅａｃｏｎフレームを間欠受信する間隔を決定するＢｅａｃｏｎフレーム受信間隔決定手段、Ｂｅａｃｏｎフレーム受信間隔決定手段により決定されたＢｅａｃｏｎフレーム受信間隔で前記無線ＬＡＮ基地局から無線送信されるＢｅａｃｏｎフレームを間欠受信し、受信したＢｅａｃｏｎフレームにより自端末宛のデータフレームが無線ＬＡＮ基地局にバッファリングされていることを示していると認識した場合に、無線ＬＡＮ基地局に対して自端末宛のデータフレームの配送を要求するデータフレームを送信するとともに、無線ＬＡＮ基地局から送信される通信要求可能性判定結果を受信する無線通信手段とを備えて構成される。
【００２０】
本発明に係る無線ＬＡＮ通信システムは、前記無線ＬＡＮ基地局、前記無線ＬＡＮ端末を備えて構成される。
【発明の効果】
【００２１】
無線ＬＡＮ基地局が送出するＢｅａｃｏｎフレームを無線ＬＡＮ端末が間欠受信する間隔により、レスポンス時間と無線ＬＡＮ端末での消費電力とが変化するが、これら２つのパラメータは相反し、間欠受信間隔を短くすると、レスポンス時間は短縮されるが消費電力は増大し、間欠受信間隔を長くすると、消費電力は低減されるがレスポンス時間は長くなる。本発明における無線ＬＡＮ基地局は通信要求可能性判定手段を備え、本発明における無線ＬＡＮ端末はＢｅａｃｏｎフレーム受信間隔決定手段を備えており、無線ＬＡＮ端末との通信を要求する入力操作が無線ＬＡＮ基地局で行われる可能性が有るか無いかに応じて、無線ＬＡＮ端末においてＢｅａｃｏｎフレームの間欠受信間隔を変更することが可能である。従って、レスポンスが遅くなるのを抑え、かつ無線ＬＡＮ端末における不要な消費電力を削減することが可能である。
【発明を実施するための最良の形態】
【００２２】
以下、この発明をその実施の形態を示す図面に基づいて具体的に説明する。
【００２３】
＜実施の形態１＞
（構成）
図１は、本実施の形態に係る無線監視カメラシステム（無線ＬＡＮ通信システム）７００のネットワーク構成を示す図である。無線監視カメラ（無線ＬＡＮ端末）１０１および監視モニター装置（無線ＬＡ基地局）１０２を備え、無線監視カメラ１０１と監視モニター装置１０２は無線ネットワーク１０３により接続されている。監視モニター装置１０２は、監視モニター装置１０２が設置されている家の玄関錠１０４と、通信線１０５を介して接続される。
【００２４】
図２は、本実施の形態に係る監視モニター装置１０２の構成を示す図である。監視モニター装置１０２は、無線監視カメラ１０１から伝送された画像を表示する画像表示部２０５、無線ネットワーク１０３で接続されている無線監視カメラ１０１との通信を要求する外部からの入力操作を受け付ける操作入力部（走査入力手段）２０３を備える。また、監視モニター装置１０２が設置された家屋の玄関に設置されている玄関錠（錠）１０４からの錠動作モード情報（錠ロック状態）を受信する錠通信部（玄関錠通信手段）２０１、錠通信部２０１で受信した玄関錠１０４からの錠動作モード情報に基づき、入力操作が操作入力部２０３で行われる可能性がある状態かどうかを判定する操作可能性判定部（通信要求可能性判定手段）２０２を備える。錠動作モード情報については後述する。さらに、図１に示す無線ネットワーク１０３経由で、無線監視カメラ１０１と無線通信を行う無線通信部（無線通信手段）２０４を備え、画像表示部２０５、操作入力部２０３、操作可能性判定部２０２は無線通信部２０４と接続される。
【００２５】
図３は、本実施の形態に係る無線監視カメラ１０１の構成を示す図である。無線監視カメラ１０１は、無線監視カメラ１０１の周囲を撮影する撮影部３０１、撮影部３０１と接続され無線ネットワーク１０３経由で監視モニター装置１０２と無線通信を行う無線通信部３０２を備える。また、無線通信部３０２と接続され、監視モニター装置１０２から伝送された操作可能性判定結果に基づき、無線通信部３０２が行う無線通信のパワーセーブモードの設定値、すなわちＢｅａｃｏｎフレームを間欠受信する間隔であるＬｉｓｔｅｎ  Ｉｎｔｅｒｖａｌ（Ｂｅａｃｏｎフレーム受信間隔）を決定するＬｉｓｔｅｎ  Ｉｎｔｅｒｖａｌ決定部（Ｂｅａｃｏｎフレーム受信間隔決定手段）３０３を備える。さらに、無線監視カメラ１０１の各ブロックに動作電源を供給するバッテリー３０４を備える。
【００２６】
無線監視カメラ１０１は、例えば玄関などの屋外に設置され、周囲の状況等を撮影するための撮影部３０１を有している。監視モニター装置１０２は、例えば屋内のリビングルームに設置され、家屋内の家人が無線監視カメラ１０１を制御するための操作入力部２０３や、無線監視カメラ１０１が撮影した画像を表示するための画像表示部２０５を有している。
【００２７】
（動作）
次に、無線監視カメラシステム７００の動作について説明する。
【００２８】
まず、玄関錠１０４の動作について説明する。玄関錠１０４は、鍵の締め方によって、
玄関ドアがロックされていないアンロックモードと、家人が在宅時に玄関ドアをロックする場合に選択する在宅ロックモードと、家人が留守時に玄関ドアをロックする場合に選択する留守ロックモードのうちから、１つの錠動作モードを選択可能であり、選択された錠動作モード情報を通信線１０５を経由して、監視モニター装置１０２に通知される。
【００２９】
従って、監視モニター装置１０２は、玄関錠１０４から通知される錠動作モード情報によって、監視モニター装置１０２が設置されている家が留守であるか、家人が在宅しているか判断することができる。
【００３０】
次に、無線監視カメラ１０１と監視モニター装置１０２の動作について説明する。無線監視カメラ１０１と、監視モニター装置１０２は、無線ネットワーク１０３で接続されている。無線ネットワーク１０３は、ＩＥＥＥ８０２．１１に準拠した無線ネットワークである。
【００３１】
ユーザーは、監視カメラ１０１の周囲状況を確認したい場合には、監視モニター装置１０２の操作入力部２０３を操作する。操作入力部２０３で入力された画像伝送要求は、無線通信部２０４に通知され、無線ネットワーク１０３を経由して、監視カメラ１０１の無線通信部３０２に伝送される。すなわち、無線通信部２０４は、監視カメラ１０１宛のデータフレームを監視モニター装置１０２でバッファリングしている事を示すデータを含んだＢｅａｃｏｎフレームを一定間隔で送信する。
【００３２】
無線通信部３０２は、受信したＢｅａｃｏｎフレームにより無線監視カメラ１０１宛のデータフレームが監視モニター装置１０２にバッファリングされていることを示していると認識した場合に、監視モニター装置１０２に対して無線監視カメラ１０１宛のデータフレームの配送を要求するデータフレームを送信する。無線監視カメラ１０１宛のデータフレームにおいて、監視モニター装置１０２が無線監視カメラ１０１の周囲画像の表示を要求したとすると、無線通信部３０２で受信された画像伝送要求は、撮影部３０１に通知され、撮影部３０１は、画像撮影を開始し、撮影画像データを無線通信部３０２に伝送する。無線通信部３０２は、撮影部３０１から伝送された撮影画像データを、監視モニター装置１０２の無線通信部２０４に伝送する。無線通信部２０４は、前記撮影画像データを画像表示部２０５に伝送し、画像表示部２０５で表示を行う。
【００３３】
無線監視カメラ１０１と、監視モニター装置１０２との間の無線通信は、ユーザーが無線監視カメラ１０１の周囲状況を確認するために、監視モニター装置１０２から撮影画像を伝送する場合に使用される。従って、画像伝送の要求がない時間は、無線通信を行う必要はないので、無線監視カメラ１０１の無線通信部は、消費電力低減のため、パワーセーブモードで動作させる。
【００３４】
パワーセーブモードで動作している無線監視カメラ１０１の無線通信部３０２は、Ｌｉｓｔｅｎ  Ｉｎｔｅｒｖａｌで指定した周期でしか、監視モニター装置１０２が送出するＢｅａｃｏｎフレームを受信しない。長いＬｉｓｔｅｎ  Ｉｎｔｅｒｖａｌを指定していると、スリープ時間が長くなり、電力消費は低減できるが、Ｂｅａｃｏｎフレームに含まれるＴＩＭやＤＴＩＭを受信する間隔が長くなるため、レスポンスは悪化する。
【００３５】
この無線監視カメラシステム７００で、考慮しなければならないのは、ユーザーが監視モニター装置１０２の操作入力部２０３を操作して、無線監視カメラ１０１の周囲画像の表示を要求した際における、監視モニター装置１０２の画像表示部２０５で画像が表示されるまでのレスポンスである。従って、無線監視カメラ１０１の無線通信部３０２で指定するＬｉｓｔｅｎ  Ｉｎｔｅｒｖａｌは、前記レスポンスにおいて許容される最長時間で制限される。
【００３６】
しかしながら、もし監視モニター装置１０２の操作入力部２０３をユーザーが操作しない時間があらかじめ分かっているとすれば、そもそも無線監視カメラ１０１から画像伝送する事象が発生しないのであるから、その時間内においてはＬｉｓｔｅｎ  Ｉｎｔｅｒｖａｌを前記レスポンスにおいて許容される最長時間で制限する必要はない。つまり、Ｌｉｓｔｅｎ  Ｉｎｔｅｒｖａｌを長く設定できる。
【００３７】
監視モニター装置１０２の操作入力部２０３をユーザーが操作しない時間として考えられるのは、ユーザーが不在である場合、つまり監視モニター装置１０２が設置されている家が留守である場合である。そこで、この無線監視カメラシステムでは、監視モニター装置１０２の錠通信部２０１が受信する、玄関錠１０４からの錠動作モード情報に基づいて、操作可能性判定部２０２で、留守であるかどうかを判定する。すなわち、操作可能性判定部２０２は、錠通信部２０１で受信した錠動作モード情報が、家屋内が留守であることを示す留守ロックモード（第１の状態）の場合には、入力操作が操作入力部２０３で行われる可能性がないと判定する。また、玄関錠通信手段で受信した錠動作モード情報が、家屋内に在宅であることを示すアンロックモード（第２の状態）あるいは在宅ロックモード（第２の状態）の場合には、前記入力操作が前記操作入力手段で行われる可能性があると判定する。もし留守であると判定された場合には、無線監視カメラ１０１の無線通信部３０２で指定するＬｉｓｔｅｎ  Ｉｎｔｅｒｖａｌを長くすることができる。
【００３８】
具体的には、操作可能性判定部２０２は、留守であるかどうかを判定し、操作入力があるかどうかを判定した操作可能性判定結果を、無線通信部２０４に対して、無線監視カメラ１０１に伝送するように指示する。無線通信部２０４は、操作可能性判定結果を無線監視カメラ１０１に送信する。無線通信部３０２は、送信された操作可能性判定結果を受信し、Ｌｉｓｔｅｎ  Ｉｎｔｅｒｖａｌ決定部３０３に伝送する。
【００３９】
Ｌｉｓｔｅｎ  Ｉｎｔｅｒｖａｌ決定部３０３は、受信した操作可能性判定結果が操作入力の可能性有りと判定されたことを示していた場合、操作待機時用のＬｉｓｔｅｎ  Ｉｎｔｅｒｖａｌを、無線通信部３０２に対して設定する値として通知する。無線通信部３０２は、通知された操作待機時用のＬｉｓｔｅｎ  Ｉｎｔｅｒｖａｌで無線通信を行うことを無線通信部２０４に通知し、操作待機時用のＬｉｓｔｅｎ  Ｉｎｔｅｒｖａｌに基づいたパワーセーブモードの無線通信を行う。
【００４０】
一方、受信した操作可能性判定結果が操作入力の可能性無しと判定されたことを示していた場合、Ｌｉｓｔｅｎ  Ｉｎｔｅｒｖａｌ決定部３０３は、無操作時用のＬｉｓｔｅｎ  Ｉｎｔｅｒｖａｌを、無線通信部３０２に対して設定する値として通知する。無線通信部３０２は、通知されたＬｉｓｔｅｎ  Ｉｎｔｅｒｖａｌで無線通信を行うことを無線通信部２０４に通知し、Ｌｉｓｔｅｎ  Ｉｎｔｅｒｖａｌに基づいたパワーセーブモードの無線通信を行う。
【００４１】
以上のように、無線通信部３０２はＬｉｓｔｅｎ  Ｉｎｔｅｒｖａｌ決定部３０３により決定されたＬｉｓｔｅｎ  Ｉｎｔｅｒｖａｌで、監視モニター装置１０２から無線送信されるＢｅａｃｏｎフレームを間欠受信する。操作待機時用のＬｉｓｔｅｎ  Ｉｎｔｅｒｖａｌは、無操作時用のＬｉｓｔｅｎ  Ｉｎｔｅｒｖａｌよりも短い値が設定される。
【００４２】
なお、操作待機時用のＬｉｓｔｅｎ  Ｉｎｔｅｒｖａｌと無操作時用のＬｉｓｔｅｎ  Ｉｎｔｅｒｖａｌは、あらかじめ設定されており、Ｌｉｓｔｅｎ  Ｉｎｔｅｒｖａｌ決定部３０３は、操作可能性判定部２０２から伝送される操作可能性判定結果に基づき、どちらかのＬｉｓｔｅｎ  Ｉｎｔｅｒｖａｌを、新たに設定するＬｉｓｔｅｎ  Ｉｎｔｅｒｖａｌとして無線通信部３０２に通知することにしてもよい。
【００４３】
また、Ｌｉｓｔｅｎ  Ｉｎｔｅｒｖａｌ決定部３０３は、操作可能性判定部２０２から伝送される操作可能性判定結果が、現状と変化がなかった場合、言い換えると、操作入力の可能性有り状態が続いたり、操作入力の可能性無し状態が続いたりした場合には、無線通信部３０２に対して、新たに設定するＬｉｓｔｅｎ  Ｉｎｔｅｒｖａｌを通知しなくても良い。
【００４４】
図４にパワーセーブモードの動作の状態例を示す。上から、監視モニター装置が送出するＢｅａｃｏｎフレーム、待機時用でありＬｉｓｔｅｎ  Ｉｎｔｅｒｖａｌ＝３を設定した場合の無線監視カメラ１０１の動作状態、無操作時用でありＬｉｓｔｅｎ  Ｉｎｔｅｒｖａｌ＝１５を設定した場合の無線監視カメラ１０１の動作状態を示す。なお、Ｂｅａｃｏｎフレーム間隔は１００ｍｓｅｃとしている。
【００４５】
在宅と判定された場合のＬｉｓｔｅｎ  Ｉｎｔｅｒｖａｌ＝３の場合では、３個おきにＢｅａｃｏｎフレームを受信しなければならないので、Ｄｏｚｅステートで動作する時間が最大３００ｍｓｅｃと比較的短く、頻繁にＡｗａｋｅステートで動作しなければならない。一方、留守と判定された場合のＬｉｓｔｅｎ  Ｉｎｔｅｒｖａｌ＝１５の場合では、１５個おきにＢｅａｃｏｎフレームを受信すればよいので、Ｄｏｚｅステートで動作する時間が最大１５００ｍｓｅｃと比較的長く、頻繁にＡｗａｋｅステートで動作する必要がないため、省電力性能は高い。
【００４６】
ただし、図４のタイミングＴ４０１において、ユーザーが監視モニター装置１０２の操作入力部２０３を操作して、無線監視カメラ１０１の周囲画像の表示を要求したとすると、操作待機時用のＬｉｓｔｅｎ  Ｉｎｔｅｒｖａｌ＝５で動作していた場合には、タイミング４０１から約２００ｍｓｅｃ後のＴ４０２に無線監視カメラ１０１がＡｗａｋｅステートとなり、撮像と画像伝送を開始できる。図４においては、Ｔ４０２以降の網掛けの部分が画像伝送している部分に相当する。一方、万が一、無操作時用のＬｉｓｔｅｎ  Ｉｎｔｅｒｖａｌ＝１５で動作していた場合には、タイミング４０１から約１４００ｍｓｅｃ後のＴ４０３で無線監視カメラ１０１がＡｗａｋｅステートとなり、ようやく撮像と画像伝送を開始することになり、レスポンス時間は長くなってしまうことになる。
【００４７】
（効果）
監視モニター装置１０２が送出するＢｅａｃｏｎフレームを無線監視カメラ１０１が間欠受信する間隔により、レスポンス時間と無線監視カメラ１０１での消費電力とが変化するが、これら２つのパラメータは相反し、間欠受信間隔を短くすると、レスポンス時間は短縮されるが消費電力は増大し、間欠受信間隔を長くすると、消費電力は低減されるがレスポンス時間は長くなる。
【００４８】
本実施の形態においては、玄関錠１０４、錠通信部２０１および操作可能性判定部２０２の動作により、家が留守であるか、あるいは家人が在宅しているかが判定され、無線監視カメラ１０１との通信を要求する入力操作が監視モニター装置１０２において行われる可能性が有るか無いかが判定される。該判定結果により無線監視カメラ１０１におけるＢｅａｃｏｎフレームの間欠受信間隔を変更することによって、前記入力操作から無線監視カメラ１０１との無線通信開始までのレスポンス時間が長くなってしまうのを抑え、かつ無線監視カメラ１０１の不要な消費電力を低減することが可能である。
【００４９】
＜実施の形態２＞
（構成）
図５は、本実施の形態に係る無線監視カメラシステム（無線ＬＡＮ通信システム）７０１のネットワーク構成を示す図である。無線監視カメラ（無線ＬＡＮ端末）１０１および監視モニター装置（無線ＬＡＮ基地局）１０６を備え、無線監視カメラ１０１と監視モニター装置１０６は無線ネットワーク１０３により接続されている。
【００５０】
図６は、本実施の形態に係る監視モニター装置１０６の構成を示す図である。監視モニター装置１０６は、無線監視カメラ１０１から伝送された画像を表示する画像表示部２０５、外部からの入力操作を受け付ける操作入力部２０３を備える。また、監視モニター装置１０６の周囲の照度を計測する照度センサー６０１、照度センサー６０１で計測した照度情報に基づき、操作入力部２０３での操作が行われる可能性を判定する操作可能性判定部６０２を備える。さらに、図４に示す無線ネットワーク１０３経由で、無線監視カメラ１０１と無線通信を行う無線通信部２０４を備え、画像表示部２０５、操作入力部２０３、操作可能性判定部６０２は無線通信部２０４と接続される。
【００５１】
無線監視カメラ１０１の構成は実施の形態１と同様であるので、ここでの詳細な説明は省略する。
【００５２】
実施の形態１と同様に、無線監視カメラ１０１は例えば玄関などの屋外に設置され、監視モニター装置１０６は例えば屋内のリビングルームに設置される。
【００５３】
（動作）
本実施の形態に係る無線監視カメラシステム７０１では、監視モニター装置１０６の照度センサー６０１が監視モニター装置１０６の周囲の照度を測定する。操作可能性判定部６０２は、測定された周囲の照度とあらかじめ定められた照度基準とを比較し、入力操作が操作入力部２０３で行われる可能性を判定する。周囲の照度が照度基準より明るいという結果であれば、監視モニター装置１０６が設置された部屋には家人がおり、操作入力が行われる可能性があると判定され、周囲の照度が照度基準より暗いという結果であれば、監視モニター装置１０６が設置された部屋には家人がおらず、操作入力が行われる可能性がないと判定される。もし操作入力が行われる可能性がないと判定された場合には、無線監視カメラ１０１の無線通信部３０２で指定するＬｉｓｔｅｎ  Ｉｎｔｅｒｖａｌを長くすることができる。
【００５４】
その他の動作は実施の形態１と同様であるので、ここでの詳細な説明は省略する。
【００５５】
（効果）
本実施の形態においては、照度センサー６０１および操作可能性判定部６０２の動作により、監視モニター装置１０６が設置された部屋に家人が居るか居ないかが判定され、無線監視カメラ１０１との通信を要求する入力操作が監視モニター装置１０６において行われる可能性が有るか無いかが判定される。該判定結果により無線監視カメラ１０１におけるＬｉｓｔｅｎ  Ｉｎｔｅｒｖａｌを変更することによって、無線監視カメラ１０１との通信を要求する入力操作から無線監視カメラ１０１との無線通信開始までのレスポンス時間が長くなってしまうのを抑え、かつ無線監視カメラ１０１の消費電力を低減することが可能である。
【００５６】
また、監視モニター装置１０６は実施の形態１における監視モニター装置１０２のように玄関錠１０４と接続される必要がないため、通信線１０５を配線する必要がなく、設置が容易に可能である。
【産業上の利用可能性】
【００５７】
本発明は、無線ＬＡＮ基地局に入力された要求により、無線ＬＡＮ端末と無線ＬＡＮ基地局が通信を行う無線ＬＡＮ通信システム、無線ＬＡＮ端末、無線ＬＡＮ基地局に適用できる。
【図面の簡単な説明】
【００５８】
【図１】実施の形態１に係る無線監視カメラシステムのネットワーク構成を示す図である。
【図２】実施の形態１に係る監視モニター装置の構成を示す図である。
【図３】実施の形態１に係る無線監視カメラの構成を示す図である。
【図４】実施の形態１に係るパワーセーブモードの動作の状態例を示す図である。
【図５】実施の形態２に係る無線監視カメラシステムのネットワーク構成を示す図である。
【図６】実施の形態２に係る監視モニター装置の構成を示す図である。
【符号の説明】
【００５９】
１０１  無線監視カメラ、１０２，１０６  監視モニター装置、１０３  無線ネットワーク、１０４  玄関錠、１０５  通信線、２０１  錠通信部、２０２  操作可能性判定部、２０３  操作入力部、２０４  無線通信部、２０５  画像表示部、３０１  撮影部、３０２  無線通信部、３０３  Ｌｉｓｔｅｎ  Ｉｎｔｅｒｖａｌ決定部、３０４  バッテリー、４０１  操作入力のあったタイミング、４０２  操作待機時に設定されている無線LAN端末が通信を開始するタイミング、４０３  無操作時に設定されている無線LAN端末が通信を開始するタイミング、６０１  照度センサー、６０２  操作可能性判定部、７００，７０１  無線監視カメラシステム。
【図１】
2009141547.tif 000003
【図２】
2009141547.tif 000004
【図３】
2009141547.tif 000005
【図４】
2009141547.tif 000006
【図５】
2009141547.tif 000007
【図６】
2009141547.tif 000008